(57)【要約】【課題】  くつのカカト部位置にカカト上部を取りつけ、このカカト上部に、カカト下部を装着して使用したときに、カカト上部からカカト下部のはずれを防止し、より安定感を得る。【解決手段】カカト上部Ａに前面部１２にコ字形状の溝部１を設け、この溝の中に、具材を用いてつくった係止部を取りつけ、上部の中央部位置から下方の下部まで円形の穴２を設け、この穴の中に、円形の中空の軸３を固定し、後面部１３の上端中央にコ字状の溝を下方に、三角状の溝部４を設けて構成したカカト上部Ａと、前面部１０に係止部が係止する四角状の開口部６と後面部１１の上端内周面部中央から内方向にコ字状のトッキを下方に、三角状のトッキ部５を設けた取りつけ枠部９を有する基体１４と、該基体１４の上部の中央部から下部まで円形の軸穴部７を設け、この軸穴の中に、一方を入れて、他方の一方は該基体１４の上部から上方にだして、固定する。【選択図】  図１
2005052617.tif 000002
【特許請求の範囲】
【請求項１】
前面部を直角に形成して半だ円形のラッパ形状に形成した、前面部の上部の先端中央部から下方の下部までに設けたコ字形状の講部（１）と、上部の中央部位置から下方の下部の中央部位置までに設けた円形の穴（２）と、この円形の穴（２）の穴の中に、円形の中空の軸（３）とをはめこんで接着剤で固定し、後面部の上部の先端中央部から内方向にコ字状の溝を下方に三角状の溝部（４）とを設けてから構成されたカカト上部Ａおよび、前面部を直角に形成して半だ円形のラッパ形状に形成した、前面部の上部の先端中央部位置から下方の中間部位置に設けた四角状の開口部（６）と、上部の先端内周面部の後面部の中央部から内方向にコ字状のトッキを下方に、三角状のトッキ部（５）とを設けた取りつけ枠部（９）とを形成してなる基体（１４）と、前記基体（１４）の上部の中央部位置から下方の下部の中央部位置までに設けた円形の軸穴部（７）と、この円形の軸穴部（７）の軸穴の中に、円形の中空の軸部（８）との一方をいれて、他方の一方を、該基体（１４）の上部から上方に、１０ｍｍ〜３０ｍｍほどでるようにしてから、接着剤で固定してからカカト下部Ｂが構成されたくつのカカト部を、カカト上部とカカト下部とに分離して、カカト上部にカカト下部を装着する装置のカカト上部にカカト下部を装着する装置。
【発明の詳細な説明】
【発明の詳細な説明】
【技術分野】
【０００１】    本発明は、くつのカカト部位置にカカト上部を取りつけ、このカカト上部にカカト下部を装着する装置における、くつのカカト部を、カカト上部とカカト下部とに分離して、カカト上部にカカト下部を装着する装置のカカト上部にカカト下部を装着する装置に関する。
【背景技術】
【０００２】    従来のくつのカカト部を、カカト上部とカカト下部とに分離して、カカト上部にカカト下部を装着する装置においては、カカト上部の両側面部に凹状の被係止部を設けて、くつのカカト部位置に取りつけている。そして、カカト下部の取りつけ枠部の内周両側面部に凸状の係止部を設けた、このカカト下部をカカト上部に装着すると、カカト下部の凸状の係止部が、カカト上部の凹状の被係止部に係止して、カカト上部にカカト下部が装着できるようにしている（例えば、実登平成８年６月２６日第３０２８８４４号登録参照）。
【発明が解決しようとする課題】
【０００３】    従来のくつのカカト部を、カカト上部とカカト下部とに分離して、カカト上部にカカト下部を装着する装置にあっては、カカト上部の両側面部に凹状の被係止部を設けて、くつのカカト部位置に取りつけて、カカト下部の取りつけ枠部の内周側面部に凸状の係止部を設けて、カカト上部の凹状の被係止部に、カカト下部の係止部を装着するとくつが使用できるようになっている。しかし、このくつを使用して、凸凹状やキレツのある道路や歩道などを歩いて、この凸凹状やキレツにカカト下部の底面が接してよろめいたりすると、カカト上部からカカト下部がかんたんにはずれてしまうという問題点があった。
【０００４】  本発明は、くつのカカト部位置にカカト上部を取りつけた、このカカト上部に、カカト下部を装着したくつを使用して、凸凹状やキレツのある道路や歩道などを歩いて、この凸凹状やキレツのある道路や歩道などに、カカト下部の底面が接してよろめいても、カカト上部からカカト下部のはずれを防止し、確実に装着ができるとともに、より安定感を得るためのくつのカカト部をカカト上部とカカト下部とに分離して、カカト上部にカカト下部を装着する装置のカカト上部にカカト下部を装着する装置を提供することを目的としている。
【課題を解決するための手段】
【０００５】  上記目的を達成するために、本発明のくつのカカト部を、カカト上部とカカト下部とに分離して、カカト上部にカカト下部を装着する装置のカカト上部にカカト下部を装着する装置においては、カカト上部の前面部を直角に形成して，半だ円形のラッパ形状に形成した、前面部の上部の先端中央部から下方の下部まで、コ字形状の溝部を設けて、上部の中央部位置から下方の下部の中央部位置まで、後述する、円形の中空の軸をはめこんで固定するための、円形の穴を設けて、後面部の上部の先端中央部から内方向にコ字状の溝を下方に三角状の溝部を設けてからカカト上部が形成される。
【０００６】  上記の、カカト上部の前面部の上部の先端中央部から下方の下部まで、コ字形状の溝部を設けた、該溝部の中に、プラスチック材やアルミ板、バネ材などの具材を用いて係止部を作り、この係止部をはめこんでネジで取りつけるとよい。
【０００７】  また、カカト上部、上部の中央部位置から下方の下部の中央部位置まで円形の穴を設けた、この円形の穴の中に、前述した、金属の円形の中空の軸を用いて、表面外周部を固定できるように形成して、この円形の中空の軸をはめこんで、接着剤により固定してからカカト上部が構成される。なお、該円形の穴の中に固定している円形の中空の軸の穴の中に、後述する、円形の中空の軸部の一端が密着してはいるところである。
【０００８】  そして、カカト下部は、前面部を直角に形成した、前面部の上部の先端中央部位置から下方の中間部位置に四角状の開口部を設けて、上部の先端内周面部の後面部中央部から内方向にコ字状のドッキを下方に三角状のトッキ部を設けた、半だ円形のラッパ形状の取りつけ枠部を形成してなる基体と、該基体の上部の中央部位置から下方の下部の中央部位置まで円形の軸穴部を設けてからカカト下部が形成される。なお、該円形の軸穴部の穴の中に、下記述する、円形の中空の軸部の一端をいれて固定するところである。
【０００９】  また、カカト上部の、上部中央部位置から下方の、下部の中央部位置まで円形の穴を設けた、この円形の穴の中に、前述した、金属の円形の中空の軸を用いて表面外周部を固定できる形状に形成し、この円形の中空の軸をはめこんで接着剤により固定してからカカト上部が構成される。
【００１０】  そして、カカト下部の、基体の上部の中央部位置に設けた、円形の軸穴部、該軸穴部の穴の中に、上記述した、円形の中空の軸部の一端をいれて、他方の一端は該基体の上部から上方向に、１０ｍｍ〜３０ｍｍほどでるようにしてから、接着剤により固定してからカカト下部が構成される。
【００１１】  そして、上記の、カカト上部の、上部の中央部位置から下方の下部の中央部位置までに円形の穴を設けた。この円形の穴の中に固定している、円形の中空の軸と、カカト下部の該基体の上部の中央部位置から下方の、下部の中央部位置までに設けた、円形の軸穴部、該軸穴部の穴の中に一端をいれて固定している、円形の中空の軸部とを、色色な形状のちがう中空の軸を用いて使用することもできる。
【００１２】  上記のように構成されたカカト上部をくつのカカト部位置にネシやクギなとで取りつけて、カカト上部の中央部位置に固定している円形の中空の軸、該中空の軸の中に、カカト上部の前面部のコ字形状の溝部の、該溝部の中に、アルミ板材バネ材ネジ材などを用いて係止部をつくり、この係止部をネジで取りつけて、カカト下部の該基体の上部の中央部位置から上方向にでている、円形の中空の軸部の先端をいれながら、カカト下部をカカト上部に装着したときに、カカト上部の前面部に設けている、コ字形状の溝部の、該溝の中に取りつけている係止部が、カカト下部の取りつけ枠部の前面部の上部の先端中央部位置から下方の中間部位置に設けている四角状の間口部に係止される。
【００１３】  そして、上記のように，カカト上部にカカト下部を装着したときに、カカトト部の前面部のコ字形状の溝部、該溝の中に取りつけている係止部が、カカト下部の取りつけ枠部の前面部に設けている、四角状の開口部に係止されることで、カカト上部にカカト下部が確実に装着できることにより、カカト上部からカカト下部のはずれを防ぐことができる。
【００１４】  また、カカト上部の、上部の中央部位置から下方の下部の中央部位置までに設けた円形の穴、該穴の中に固定している、円形の中空の軸の、該中空の軸の中に、カカト下部の該基体の上部の中央部位置から上方向にでている、円形の中空の軸部が密着してはいりながら、カカト上部にカカト下部を装着したときに、カカト上部とカカト下部との密着度がよく、より安定感を得る。
【００１５】  また、カカト上部の後面部の上部先端中央部から内方向にコ字状の溝を下方の三角状の溝部を設けた、該三角状の溝部の溝に中に、カカト下部の取りつけ枠部の後面部の上部の先端内周面部の中央部から内方向に、コ字状のトッキを下方に三角状のトッキ部を設けた、該三角状のトッキ部が、カカト上部にカカト下部を装着したときはいることによって、カカト上部からカカト下部が回転するのを防ぐ。
【発明実施の形態】
【００１６】  発明の実態の形態を実施例にもとづき図面を参照して説明する。図１において、カカト上部Ａの、図２に示すように、前面部１２の上部１５の先端中央部から下方の下部１７まで、コ字形状の溝部１を設けて、図２の示すように、上部１５の中央部位置から下方の下部１７の中央部位置まで円形の穴２を設けて、該円形の穴２の中に、円形の中空の軸３をいれて接着剤で固定し，図２に示すように、後面部１３の上部１５の先端中央部から内方向にコ字状の溝を下方に三角状の溝部４を設けて構成された、カカト上部Ａを、くつＣのカカト部位置にネジやクギなどで取りつけている。そして、カカト下部Ｂの基体１４の上部から上方に、取りつけ枠部９を形成して、該取りつけ枠部９の、図５に示すように、上部１６の前面部１０の先端中央部位置から下方の中間部位置に四角状の開口部６を設けて、取りつけ枠部９の、図５に示すように、上部１６の先端内周面部の後面部１１の中央部部から内方向に、コ字状のトッキを下方に三角状のトッキ部５を設けて、該基体１４の上部の中央部位置から下方の下部１８の中央部位置まで円形の軸穴部７を設けて、該軸穴部７の軸穴の中に、円形の中空の軸部８の一端をいれて、他方の一端は、該基体１４の上部から上方に１０ｍｍ〜３０ｍｍほどでるようにして、接着剤で固定して構成した、カカト下部Ｂを、くつＣのカカト部位置にとりつけているカカト上部Ａに装着している。
【００１７】  図２において、カカト上部Ａの前面図１２を直角に形成して半だ円形のラッパ形状に形成した、前面部１２の上部１５の先端中央部から下方の下部１７まで、コ字形状の溝部１を設けて、上部１５の中央部位置から下方の下部１７の中央部位置まで、円形の穴２を設けて、後面部１３の上部１５の先端中央部から内方向にコ字状の溝を下方に、三角状の講部４を設けて形成したカカト上部Ａである。
【００１８】  図３において、図２のカカト上部Ａに設けている円形の穴２の中に、はめこんで固定するための、金属の円形の中空の軸を用いて形成した、円形の中空の軸３である。
【００１９】  図４においては、カカト上部Ａの前面部１２を直角に形成して半だ円形のラッパ形状に形成した、前面部１２の上部１５の先端中央部位置から下方の下部１７まで、コ字形状の溝部１を設けて、上部１５の中央部位置から下方の下部１７の中央部位置まで円形の穴２を設けて、上部１５の後面部１３の先端中央部から内方向に、コ字状の溝を下方に三角状の溝部４を設けて、そして、上部１５の中央位置から下方の下部１７の中央部位置まで円形の穴２を設けた、該円形の穴２の穴の中に、図３で説明したように、円形の中空の軸３を、はめこんで接着剤で固定して、カカト上部Ａが構成されている。
【００２０】  図５において、カカト下部Ｂの前面部１０を直角に形成して半だ円形のラッパ形状に形成した、前面部１０の上部１６の先端中央部位置から下方の中間部位置に、四角状の開口部６を設けて、取りつけ枠部９の上部１６の後面部１１の先端内周面部の中央部から内方向に、コ字状のトッキを下方に、三角状のトッキ部５を設けた取りつけ枠部９を形成してなる基体１４と、該基体１４の上部の中央部位置から下方の下部１８の中央部位置まで、円形の軸穴部７を設けて形成された、カカト下部Ｂである。
【００２１】  図６において、図５に説明したカカト下部Ｂの該基体１４の上部の中央部位置に設けている、円形の軸穴部７、該軸穴部７の穴の中に、一端をいれて固定するための、金属の円形の中空の軸部７を用いて，表面外周部を同一の形状に形成した、円形の中空の軸部８である。
【００２２】  図７に示される実施例では、カカト下部Ｂの前面部１０を直角に形成して半だ円形のラッパ形状に形成した、前面部１０の上部１６の先端中央部位置から下方の中間部位置に四角状の開口部６を設けて、後面部１１の上部１６の先端内周面部の中央部から内方向にコ字状のトッキを下方に三角状のトッキ部５を設けた、取りつけ枠部９を設けてなる基体１４と、該基体１４の上部の中央部位置から下方の下部１８の中央部位置まで円形の軸穴部７を設け、該円形の軸穴部７の軸穴の中に、図６に説明した、円形の中空の軸部８の一端をいれて、他方の一端は、該基体１４の上部から上方に１０ｍｍ〜３０ｍｍほどでるようにして、接着剤で固定してから構成されたカカト下部Ｂである。
【発明の効果】
【００２３】  本発明は、以上説明したように構成されているので、以下に記識される効果を奏する。
【００２４】  カカト上部の前面部に設けたコ字形状の溝部の溝の中に、プラスチック材やアルミ板材、バネ材とネジなどの具材を用いて作った、係止部をネジで取りつけて、カカト下部の取りつけ枠部の前面部に四角状の開口部を設けたことによって、カカト上部にカカト下部を装着したときに、カカト上部の前面部のコ字形状の溝部の該溝の中に係止部が、カカト下部の前面部の四角状の間口部に係止されることで、カカト上部にカカト下部が確実に装着ができ、カカト上部からカカト下部のはずれを防止する。
【００２５】  そして、カカト上部の、上部の中央部位置から下方の下部の中央部位置までに設けた円形の穴、該穴の中に、円形の中空の軸をいれて接着剤で固定している、該円形の中空の軸の中空の中に、カカト下部の該基体の上部の中央部位置から上方向にでている、円形の中空の軸部が密着してはいりながら、カカト上部にカカト下部が装着したときに、カカト上部とカカト下部との密着度がよく、より安定感を得ることができる。
【００２６】  また、カカト上部の後面部の上部の先端中央部から内方向に、コ字状の溝を下方に三角状の溝部の、該溝部の中に、カカト下部の取りつけ枠部の後面部の上部の先端内周面部の中央部から内方向に、コ字状のトッキを下方に、三角状のトッキ部を設けた、該三角状のトッキ部が、カカト上部にカカト下部を装着したときに、はいることによって、カカト上部からカカト下部が回転するのを防止することができる。
【図面の簡単な説明】
【図１】くつのカカト部を、カカト上部とカカト下部とに分離して、カカト上部にカカト下部を装着する装置を、くつのカカト部位置に固定された状態を示す側面要部断面図である。
【図２】カカト上部の要部斜視図である。
【図３】円形の中空の軸の斜視図である。
【図４】カカト上部の、上部の中央部位置から下部の中央部位置まで、円形の中空の軸を固定された状態を示す側面要部断面図である。
【図５】カカト下部の要部斜視図である。
【図６】円形の中空の軸部の要部斜視図である。
【図７】カカト下部の、上部の中央部位置から下部の中央部位置まで、円形の軸穴部の中に、円形の中空の軸部の一方をいれて、他方の一方が上方に１０ｍｍ〜３０ｍｍほどでるようにして、固定されている状態を示す側面要部断面図である。
【符号の説明】
Ａ          カカト上部    Ｂ          カカト下部    Ｃ          くつ    １          コ字形状の溝部    ２          円形の穴    ３          円形の中空の軸    ４          三角状の溝部    ５          三角状のトッキ部    ６          四角状の開口部    ７          円形の軸穴部    ８          円形の中空の軸部    ９          取りつけ枠部    １０、１２  前面部    １１、１３  後面部    １４        基体    １５、１６  上部    １７、１８  下部
【図１】
2005052617.tif 000003
【図２】
2005052617.tif 000004
【図３】
2005052617.tif 000005
【図４】
2005052617.tif 000006
【図５】
2005052617.tif 000007
【図６】
2005052617.tif 000008
【図７】
2005052617.tif 000009
【手続補正書】
【提出日】平成16年5月11日(2004.5.11)
【手続補正１】
【補正対象書類名】明細書
【補正対象項目名】全文
【補正方法】変更
【補正の内容】
【書類名】明細書    【発明の名称】くつのカカト部を、カカト上部とカカト下部とに分離して、カカト上部にカカト下部を装着する装置のカカト上部にカカト下部を装着する装置。     【発明の詳細な説明】    【０００１】    【技術分野】  本発明は、くつのカカト部位置にカカト上部を取りつけ、このカカト上部にカカト下部を装着する装置における、くつのカカト部を、カカト上部とカカト下部とに分離して、カカト上部にカカト下部を装着する装置のカカト上部にカカト下部を装着する装置に関する。    【０００２】    【背景技術】  従来のくつのカカト部を、カカト上部とカカト下部とに分離して、カカト上部にカカト下部を装着する装置においては、カカト上部の両側面部に凹状の被係止部を設けて、くつのカカト部位置に取り付けている。そして、カカト下部の取りつけ枠部の内周両側面部に凸状の係止部を設けた、このカカト下部をカカト上部に装着すると、カカト下部の凸状の係止部が、カカト上部の凹状の被係止部に係止めして、カカト上部にカカト下部が装着できるようにしている（例えば、実登平成８年６月２６日第３０２８８４４号登録参照）。    【０００３】    【発明が解決しようとする課題】  従来の、カカト上部の両側面部に凹状の被係止部を設けて、くつのカカト部位置に取り付けて、カカト下部の取り付け枠部の内周両側面部に凸状の係止部を設けて、カカト上部の凹状の被係止部に、カカト下部の係止部を装着するとくつが使用できるようになっている。しかし、このくつを使用して、凸凹状やキレツのある道路や歩道などを歩いて、この凸凹状やキレツにカカト下部の底面が接してよろめいたりすると、カカト上部からカカト下部が簡単に外れてしまうという問題点があった。    【０００４】本発明は、くつのカカト部位置にカカト上部を取り付けた、このカカト上部に、カカト下部を装着したくつを使用して、凸凹状やキレツのある道路や歩道などを歩いて、この凸凹状やキレツのある道路や歩道などに、カカト下部の底面が接してよろめいても、カカト上部からカカト下部の外れを防止し、確実に装着が出来るとともに、より安定感を得るためのくつのカカト部をカカト上部とカカト下部とに分離して、カカト上部にカカト下部を装着する装置のカカト上部にカカト下部を装着する装置を提供することを目的としている。    【０００５】    【課題を解決するための手段】  上記目的を達成するために、本発明のくつのカカト部を、カカト上部とカカト下部とに分離して、カカト上部にカカト下部を装着する装置のカカト上部にカカト下部を装着する装置においては、カカト上部の前面部を直角に形成して、半だ円形のラッパ形状に形成した、前面部の上部の先端中央部から下方の下部まで、コ字形状の溝部を設けて、上部の中央部位置から下方の下部の中央部位置まで、後述する、円形の中空の軸部をはめ込んで固定するための、円形の穴を設けて、後面部の上部の先端中央部から内方向にコ字状の溝を下方に三角状の溝部を設けてからカカト上部が形成される。    【０００６】上記の、カカト上部の前面部の上部の先端中央部から下方の下部まで、コ字型状の溝部を設けた、該溝部の中に、プラスチック材やアルミ板、バネ材などの具材を用いて係止部を作り、この係止部をはめ込んでネジで取り付けるとよい。    【０００７】又、カカト上部は、上部の中央部位置から下方の下部の中央部位置まで円形の穴を設けた、この円形の穴の中に、前述した、円形の中空の軸を用いて、表面外周部を固定できるように形成して、この円形の中空の軸をはめ込んで、接着剤により固定してからカカト上部が構成される。尚、該円形の穴の中に固定している円形の中空の軸の穴の中に、後述する、円形の中空の軸部の一端が密着して入るところである。    【０００８】そして、カカト下部は、前面部を直角に形成した、前面部の上部の先端中央部位置から下方の中間部位置に四角状の開口部を設けて、上部の先端内周面部の後面部中央部から内方向にコ字状にトッキを下方に三角状のトッキ部を設けて、半だ円形のラッパ形状の取り付け枠部を形成してなる基体と、該基体の上部の中央部位置から下方の下部の中央部位置まで円形の軸穴部を設けてからカカト下部が形成される。尚、該円形の軸穴部の穴の中に、下記述する、円形の中空の軸の一端を入れて固定するところである。    【０００９】又、カカト上部の、上部中央部位置から下方の、下部の中央部位置まで円形の穴を設けた、この円形の穴の中に、前述した、円形の中空の軸を用いて表面外周部を固定できる形状に形成し、この円形の中空の軸をはめ込んで接着剤により固定してからカカト上部が構成される。    【００１０】そして、カカト下部の、基体の上部の中央部位置に設けた、円形の軸穴部、該軸穴部の穴の中に、上記述した、円形の中空の軸部の一端を入れて、他方の一端は該基体の上部から上方向に、１０ｍｍ〜３０ｍｍほど出るようにしてから、接着剤により固定してからカカト下部が構成される。    【００１１】そして、上記の、カカト上部の、上部の中央部位置から下方の下部の中央部位置までに円形の穴を設けた、この円形の穴の中に固定している、円形の中空の軸と、カカト下部の該基体の上部の中央部位置から下方の、下部の中央部位置までに設けた、円形の軸穴部、該軸穴部の穴の中に一端を入れて固定している、円形の中空の軸部とを、色々な形状の違う中空の軸を用いて使用することもできる。    【００１２】上記のように構成されたカカト上部をくつのカカト部位置にネジやクギ等で取り付けて、カカト上部の中央部位置に固定している円形の中空の軸、該中空の軸の中に、カカト上部の前面部のコ字形状の溝部の、該溝部の中に、アルミ板材、バネ材、ネジ材等を用いて係止部を作り、この係止部をネジで取り付けて、カカト下部の該基体の上部の中央部位置から上方向に出ている、円形の中空の軸部の先端を入れながら、カカト下部をカカト上部に装着したときに、カカト上部に設けている、コ字形状の溝部の、該溝の中に取り付けている係止部が、カカト下部の取り付け枠部の前面部に設けている開口部に係止めする。    【００１３】そして、上記のように、カカト上部にカカト下部を装着したときに、カカト上部の前面部のコ字形状の溝部、該溝の中に取り付けている係止め部が、カカト下部の取り付け枠部の前面部に設けている、四角状の開口部に係止めされることで、カカト上部にカカト下部が確実に装着できることにより、カカト上部からカカト下部の外れを防ぐことができると共に安心感もある。    【０���１４】又、カカト上部の、上部の中央部位置から下方の下部の中央部位置までに設けた円形の穴、該穴の中に固定している、円形の中空の軸の、該中空の軸の中に、カカト下部の該基体の上部の中央部位置から上方向に出ている、円形の中空の軸部が密着して入りながら、カカト上部にカカト下部を装着したときに、カカト上部とカカト下部との密着度が良く、より安定感を得る。    【００１５】又、カカト上部の後面部の上部先端中央部から内方向にコ字状の溝を下方に三角状の溝部を設けた、該三角状の溝部の、該溝の中に、カカト下部の取り付け枠部の後面部の上部の先端内周面部の中央部から内方向に、コ字状のトッキ部を、下方に三角状のトッキ部を設けた、該三角状のトッキ部が、カカト上部にカカト下部を装着したときに入ることにより、カカト上部からカカト下部が回転するのを防ぎ、横ずれも防ぐ。    【００１６】    【発明を実施するための最良の形態】  発明の実施の形態を実施例に基づき図面を参照して説明する。  図１  において、カカト上部Ａの、前面部１２の上部１５の先端中央部から下方の下部１７まで、コ字形状の溝部１を設けて、上部１５の中央部位置から下方の下部１７の中央部位置まで円形の穴２を設けて、該円形の穴２の中に、円形の中空の軸３を入れて接着剤で固定し、後面部１３の上部１５の先端中央部から内方向にコ字状の溝を下方に三角状の溝部４を設けて構成された、カカト上部Ａを、くつＣのカカト部位置にネジやクギ等で取り付けている。そして、カカト下部Ｂの基体１４の上部から上方に、取り付け枠部９を形成して、該取り付け枠部９の、上部１６の前面部１０の先端中央部位置から下方の中間部位置に四角状の開口部６を設けて、取り付け枠部９の、上部１６の先端内周面部の後面部１１の中央部から内方向に、コ字状のトッキを下方に三角状のトッキ部５を設けて、該基体１４の上部の中央部位置から下方の下部１８の中央部位置まで円形の軸穴部７を設けて、該軸穴部７の軸穴の中に、円形の中空の軸部８の一端を入れて、他方の一端は、該基体１４の上部から上方に１０ｍｍ〜３０ｍｍ程出るようにして、接着剤で固定して構成した、カカト下部Ｂを、くつＣのカカト部位置に取り付けているカカト上部Ａに装着している。    【００１７】図２において、カカト上部Ａの前面部１２を直角に形成して半だ円形のラッパ形状に形成した、前面部１２の上部１５の先端中央部から下方の下部１７まで、コ字形状の溝部１を設けて、上部１５の中央部位置から下方の下部１７の中央部位置まで、円形の穴２を設けて、後面部１３の上部１５の先端中央部から内方向にコ字状の溝を下方に、三角状の溝部４を設けて形成したカカト上部Ａである。    【００１８】図３において、カカト上部Ａに設けている円形の穴２の中に、はめ込んで固定するための、円形の中空の軸を用いて形成した、円形の中空の軸３である。    【００１９】図４においては、カカト上部Ａの前面部１２を直角に形成して半だ円形のラッパ形状に形成した、前面部１２の上部１５の先端中央部位置から下方の下部１７まで、コ字形状の溝部１を設けて、上部１５の中央部位置から下方の下部１７の中央部位置まで円形の穴２を設けて、上部１５の後面部１３の先端中央部から内方向に、コ字状の���を下方に三角状の溝部４を設けて、そして、上部１５の中央部位置から下方の下部１７の中央部位置まで円形の穴２を設けた、該円形の穴２の穴の中に、円形の中空の軸３を、はめ込んで接着剤で固定して、カカト上部Ａが構成されている。    【００２０】図５において、カカト下部Ｂの前面部１０を直角に形成して半だ円形のラッパ形状に形成した、前面部１０の上部１６の先端中央部位置から下方の中間部位置に、四角状の開口部６を設けて、取り付け枠部９の上部１６の後面部１１の先端内周面部の中央部から内方向に、コ字状のトッキを下方に、三角状のトッキ部５を設けた取り付け枠部９を形成してなる基体１４と、該基体１４の上部の中央部位置から下方の下部１８の中央部位置まで、円形の軸穴部７を設けて形成された、カカト下部Ｂである。    【００２１】図６において、カカト下部Ｂの該基体１４の上部の中央部位置に設けている、円形の軸穴部７、該軸穴部７の穴の中に、一端を入れて固定するための、円形の中空の軸部８を用いて、表面外周部を同一の形状に形成した、円形の中空の軸部８である。    【００２２】図７に示される実施例では、カカト下部Ｂの前面部１０を直角に形成して半だ円形のラッパ形状に形成した、前面部１０の上部１６の先端中央部位置から下方の中間部位置に四角状の開口部６を設けて、後面部１１の上部１６の先端内周面部の中央部から内方向にコ字状のトッキを下方に三角状のトッキ部５を設けた、取り付け枠部９を設けてなる基体１４と、該基体１４の上部の中央部位置から下方の下部１８の中央部位置まで円形の軸穴部７を設け、該円形の軸穴部７の軸穴の中に、円形の中空の軸部８の一端を入れて、他方の一端は、該基体１４の上部から上方に１０ｍｍ〜３０ｍｍほど出るようにして、接着剤で固定してから構成されたカカト下部Ｂである。    【００２３】    【発明の効果】  本発明は、以上説明したように構成されているので、以下に記識される効果を奏する。    【００２４】カカト上部の前面部に設けたコ字形状の溝部の溝の中に、プラスチック材やアルミ板材、バネ材とネジ等の具材を用いて作った、係止部をネジで取り付けて、カカト下部の取り付け枠部の前面部に四角状の開口部を設けたことによって、カカト上部にカカト下部を装着したときに、カカト上部の前面部のコ字形状の溝部の該溝の中に係止部が、カカト下部の前面部の四角状の開口部に係止めされることで、カカト上部にカカト下部が確実に装着ができ、カカト上部からカカト下部の外れを防止する。    【００２５】そして、カカト上部の、上部の中央部位置から下方の下部の中央部位置までに設けた円形の穴、該穴の中に、円形の中空の軸を入れて接着剤で固定している、該円形の中空の軸の中空の中に、カカト下部の該基体の上部の中央部位置から上方向に出ている、円形の中空の軸部が密着して入りながら、カカト上部にカカト下部が装着したときに、カカト上部とカカト下部との密着度が良く、より安定感を得ることが出来る。    【００２６】又、カカト上部の後面部の上部の先端中央部から内方向に、コ字状の溝を下方に三角状の溝部の、該溝部の中に、カカト下部の取り付け枠部の後面部の上部の先端内周面部の中央部から内方向に、コ字状のトッキを下方に、三角状のトッキ部を設けた、該三角状のトッキ部が、カカト上部にカカト下部を装着したときに、入ることによって、カカト上部からカカト下部が回転するのを防止するのと、横ずれも防ぐ。    【図面の簡単な説明】    【図１】くつのカカト部を、カカト上部とカカト下部とに分離して、くつＣのカカト    部位置に固定されたカカト上部に、カカト下部を装着した状態を示した、左立面断面    図である。    【図２】カカト上部を、形成された状態を示した、立面斜視図である。    【図３】カカト上部の、該上部の中央部位置から下部中央部位置までに設けた円形の    穴、該穴に入れて固定する、円形の中空の軸を示した、立面斜視図である。    【図４】カカト上部を、構成された状態を示した、左立面断面図である。    【図５】カカト下部を、形成された状態を示した、立面斜視図である。    【図６】カカト下部の基体の上部の中央部の軸穴から一方を入れて固定する、円形の    中空の軸部を示した、立面斜視図である。    【図７】カカト下部を、構成された状態を示した、左立面断面図である。    【符号の説明】Ａ            カカト上部Ｂ            カカト下部Ｃ            くつ１            コ字形状の溝部２            円形の穴３            円形の中空の軸４            三角状の溝部５            三角状のトッキ部６            四角状の開口部７            円形の軸穴部８            円形の中空の軸部９            取り付け枠部１０・１２    前面部１１・１３    後面部１４          基体１５・１６    上部１７・１８    下部【手続補正２】
【補正対象書類名】特許請求の範囲
【補正対象項目名】全文
【補正方法】変更
【補正の内容】
【特許請求の範囲】
【請求項１】
前面部を直角に形成して半だ円形のラッパ形状に形成した、前面部の上部の先端中央部から下方の下部までに設けたコ字形状の溝部（１）と、上部の中央部位置から下方の下部の中央部位置までに設けた円形の穴（２）と、この円形の穴（２）の穴の中に、円形の中空の軸（３）とをはめ込んで接着剤で固定し、後面部の上部の先端中央部から内方向にコ字状の溝を下方に三角状の溝部（４）とを設けてから構成されたカカト上部（Ａ）及び、前面部を直角に形成して半だ円形のラッパ形状に形成した、前面部の上部の先端中央部位置から下方の中間部位置に設けた四角状の開口部（６）と、上部の先端内周面部の後面部の中央部から内方向にコ字状のトッキを下方に、三角状のトッキ部（５）とを設けた取り付け枠部（９）とを形成してなる基体（１４）と、前記基体（１４）の上部の中央部位置から下方の下部の中央部位置までに設けた円形の軸穴部（７）と、この円形の軸穴部（７）の軸穴の中に、円形の中空の軸部（８）との一方を入れて、他方の一方を、該基体（１４）の上部から上方に、１０ｍｍ〜３０ｍｍ程出るようにしてから、接着剤で固定してからカカト下部（Ｂ）が構成されたくつのカカト部を、カカト上部とカカト下部とに分離して、カカト上部にカカト下部を装着する装置のカカト上部にカカト下部を装着する装置。